(57)【要約】【課題】簡易な構造でズボン内の熱気を外部へ効率よく排出する。【解決手段】巻き付け材４に、ズボン３内の熱気を外部へ排出するチューブ５を設けて構成している。柔軟性を有し弾性復帰可能なチューブ５は、巻き付け材４の延長方向Ｄ１に対し上下方向に複数取り付けられる。巻き付け材４は、メッシュ材の上下端を同一面で折り返し所定の間隙Ｓを隔てて折り返された両端部４Ａ、４Ｂを向かい合わせ、これら折り返された両端部４Ａ、４Ｂを延長方向Ｄ１に沿って身頃４Ｃに間欠的に縫い付けて構成される。折り返された上下両端部４Ａ、４Ｂの縫い合わされていない開口部７にチューブ５を差し入れて装着するようになっている。身体装着具２は、ズボン３の腰帯部３Ａ内側で身体に巻き付けられる。【選択図】図２
2009228191.tif 000002
【特許請求の範囲】
【請求項１】
ズボンの腰帯部内側で身体に巻き付けられる巻き付け材に、ズボン内の熱気を外部へ排出するエア排出部を設けたことを特徴とする身体装着具。
【請求項２】
ズボンの腰帯部内側にズボン内の熱気を外部へ排出するエア排出部を設けたことを特徴とするズボン。
【発明の詳細な説明】
【技術分野】
【０００１】
本発明は、ズボン内の熱気を外部へ排出する身体装着具およびズボンに関するものである。
【背景技術】
【０００２】
一般に、工事等の作業に当たっては、身体を保護するため厚手の生地の作業着の着用が義務づけられることが多い。このため、身体を激しく動かす作業では、特に、夏季などには、作業ズボン内が蒸れたり汗を掻いたりして作業中不快感を感じながら作業することが多い。従来、このような不快感を除去するため、例えば、着衣の中に流体の通路を形成してポンプにより流体を循環させ、流体により身体の熱を奪い着用者の快適性を向上させる衣類が提案されている（例えば、特許文献１参照。）また、周面に多数の孔を穿設した装着用ホースを作業者の体に巻き付け、外部から冷気を供給する作業者用冷却装置が提案されている（例えば、特許文献２参照。）。さらに、後ポケット部分の袋布にメッシュ地とトリコット地とが連続して編成された編み地を用い、ズボン内の蒸れを外部に逃がす清涼ズボンが提案されている（例えば、特許文献３参照。）。
【特許文献１】特開２００４−３０８１０１号公報（第８、９頁、図２）
【特許文献２】特開平１０−１４１８２４号公報（第３頁、図４）
【特許文献３】特開２００１−７３２０５号公報（第３頁、図３）
【発明の開示】
【発明が解決しようとする課題】
【０００３】
しかしながら、特許文献１に記載のものは、構造が複雑で、衣類そのものが重量化し、作業しにくいという問題がある。また、特許文献２に記載のものは、装着ホース延長端を常に空気圧縮装置と冷却機とに接続し使用者の動きに応じて移動させなければならず、上記特許文献１のものと同様に作業性が悪いという問題がある。さらに、特許文献３のものでは、ズボン製造時に予め加工を施さなければならず、既成の作業ズボンには加工しにくく、加工を施す場合、ポケット部を切り抜いて通気部を縫い付けなければならず、コストがかかるという問題がある。
【０００４】
本発明は、上記課題を解決するためになされたもので、簡易な構造でズボン内の熱気を外部へ効率よく排出する身体装着具およびズボンを提供するものである。
【課題を解決するための手段】
【０００５】
本発明の請求項１に係る身体装着具は、ズボンの腰帯部内側で身体に巻き付けられる巻き付け材に、ズボン内の熱気を外部へ排出するエア排出部を設けたことを特徴とするものである。
【０００６】
本発明の請求項１に係る身体装着具では、ズボンの腰帯部内側で身体に巻き付けられる巻き付け材に、ズボン内の熱気を外部へ排出するエア排出部を設けたことにより、ズボンの内部にこもった熱気はエア排出部を介して外部へ排出される。
【０００７】
また、本発明に係る身体装着具は、エア排出部を、巻き付け材の延長方向に対して上下方向に複数取り付けられ、柔軟性を有し弾性復帰可能なチューブにより構成することが好ましい。係る構成により、身体の動きによりチューブが身体とズボンとの間で押しつぶされたり復帰したりするので、チューブの上下開口間でエアが出し入れされる。このため、ズボン内の熱気が外部に排出されたり、外部のエアがズボン内に引き込まれる。チューブは柔軟性を有するので、使用者の動作を妨げることがない。
【０００８】
さらに、本発明に係る身体装着具は、巻き付け材を、布材の上下端を同一面側に折り返し、所定の間隙を隔てて折り返された両端部を向かい合わせ、これら折り返された両端部を延長方向に沿って身頃部に間欠的に縫い付けて構成するとともに、折り返された上下両端部の縫い合わされていない開口部にチューブを差し入れて装着することが好ましい。係る構成とすることにより、チューブを容易に巻き付け材に装着することができる。
【０００９】
また、本発明に係る身体装着具は、巻き付け材の両端には、着脱自在に係止され、巻き付け材が身体から脱落するのを阻止する脱落阻止部を設けることが好ましい。係る構成とすることにより、装着具が脱落しにくくなるので、作業性が向上する。
【００１０】
さらに、本発明に係る身体装着具は、脱落阻止部を、巻き付け材一端の一方の面に接合されたフック状部と巻き付け材他端の他方の面に接合されフック状部と噛み合い可能なパイル状部とを有する面ファスナで構成し、これらフック状部とパイル状部のうち少なくともいずれか一方を延長方向に延ばすことが好ましい。係る構成とすることにより、巻き付け材が身体に巻き付く長さを調整することができ、使用者の胴回りに応じて確実に脱落防止を図ることができる。
【００１１】
本発明の請求項２に係るズボンは、ズボンの腰帯部内側にズボン内の熱気を外部へ排出するエア排出部を設けたことを特徴とするものである。
【００１２】
本発明の請求項２に係るズボンでは、ズボンの腰帯部内側にズボン内の熱気を外部へ排出するエア排出部を設けたことにより、ズボンの内部にこもった熱気は、エア排出部を介して外部へ排出される。
【００１３】
また、本発明に係るズボンは、エア排出部を、ズボンの腰帯部内側に延長方向に対し上下方向に複数取り付けられ、柔軟性を有し、弾性復帰可能なチューブにより構成することが好ましい。係る構成とすることにより、身体の動きによりチューブが身体とズボンとの間で押しつぶされたり復帰したりするので、チューブの上下開口間でエアが出し入れされる。このため、ズボン内の熱気が外部に排出されたり、外部のエアがズボン内に引き込まれる。チューブは柔軟性を有するので、使用者の動作を妨げることがない。
【発明の効果】
【００１４】
本発明の請求項１に係る身体装着具は、ズボンの腰帯部内側で身体に巻き付けられる巻き付け材に、ズボン内の熱気を外部へ排出するエア排出部を設けたので、簡素な構成でズボン内が蒸れることがなく、作業を快適に行うことができる。
【００１５】
本発明の請求項２に係るズボンは、ズボンの腰帯部内側にズボン内の熱気を外部へ排出するエア排出部を設けたので、ズボン内が蒸れることがなく、作業を快適に行うことができる。また、既成のズボンにも適用することができ、汎用性が向上する。
【発明を実施するための最良の形態】
【００１６】
簡易な構造で使用者の動作を妨げず、かつ、既成のズボンに用いてズボン内の熱気を外部へ効率よく排出するという目的を、ズボンの腰帯部内側で身体に巻き付けられる巻き付け材に、ズボン内の熱気を外部へ排出するチューブを設けて構成し、柔軟性を有し弾性復帰可能なチューブを、巻き付け材の延長方向に対して上下方向に複数取り付け、巻き付け材を、布材の上下端を同一面で折り返し所定の間隙を隔てて折り返された両端部を向かい合わせ、これら折り返された両端部を延長方向に沿って身頃部に間欠的に縫い付けて構成し、折り返された上下両端部の縫い合わされていない開口部にチューブを差し入れて装着したことにより達成した。
【実施例１】
【００１７】
以下、図面に示す実施例により本発明を説明する。図１および図２はそれぞれ、本発明の第１の実施例に係る身体装着具を展開した状態を示す説明図および巻き付け状態を示す斜視図である。本実施例に係る身体装着具２は、巻き付け材４に、ズボン３内の熱気を外部へ排出するチューブ（エア排出部）５を設けて構成される。身体装着具２は、作業ズボン３（図２および図３参照）の腰帯部３Ａ内側で身体に巻き付けられるようになっている。巻き付け材４は、メッシュ（布材）の四角形状一枚布の上下端を同一面で折り返し、所定の間隙Ｓを隔てて折り返された両端部４Ａ、４Ｂを向かい合わせ、これら折り返された両端部４Ａ、４Ｂを延長方向Ｄ１に沿って身頃部４Ｃに間欠的に縫い付けて構成される。これら縫い付け部６は、折り返された両端部４Ａ、４Ｂで上下が合致して縫い付けがなされる。縫い付けの行われない非縫い付け部７は、チューブ５が装着される開口を確保するよう延長方向Ｄ１の長さ（本実施例では、チューブ５の径に応じて、２cmまたは３cm）が決められる。非縫い付け部７は、巻き付け材４の延長方向に沿って適当な間隔を隔てて複数箇所（本実施例では、４ないし１０箇所程度）形成される。
【００１８】
折り返された両端部４Ａ、４Ｂが縫い付けられたメッシュの長手方向両側端にはそれぞれ、布片８、９が縫い付けられる。これら布片８、９にはそれぞれ、互いに重ね合わされて押し付けられると接合し、引き剥がすと分離する面ファスナ（脱落阻止部）１０が設けられる。面ファスナ１０は、一方の布片８の一方の面８Ａに接着されたフック部１１と、他方の布片９の他方の面９Ｂに接着されたパイル部１２とから構成される。これらフック部１１とパイル部１２とは少なくともいずれか一方が延長方向Ｄ１に長く形成され、使用者の胴回り寸法に応じて確実に巻き付けられて接合されるようになっている。これらフック部１１とパイル部１２を重ね合わせると、両者１１、１２は接合され巻き付け材４は身体からの脱落が防止されるようになっている。両者１１、１２を引き剥がすと、巻き付け材４は身体から取り外されるようになっている。
【００１９】
身体装着具２は、巻き付け材４の非縫い付け部７の開口に、チューブ５が装着されるようになっている。チューブ５は、内部が中空で、柔軟性を有し弾性復帰可能な合成樹脂（例えば、ビニールなど）からなり、異なる経を有する複数種類のチューブ５を適宜選択して用いるようになっている。これらチューブ５は、巻き付け材４の非縫い付け部７の開口に、折り曲げられた端部を差し込んで嵌め入れられるようになっている。このため、チューブ５は、身体装着具２が使用者のズボン３の腰帯部３Ａ内側で身体に巻き付けられて使用される際、巻き付け材４の周方向に沿って上下方向に配置され、チューブ５の下端開口部５Ｂがズボン３の内部に、チューブ５の上端開口部５Ａが外気にそれぞれ連通されるようになっている。このため、チューブ５に外力がかからず内部に通路が確保されていると、ズボン３内の熱気は、通路を通じて外部へ排気されるようになっている。またチューブ５が押圧され押しつぶされると、内部のエア通路は遮断されるものの、押圧力が失われ弾性復帰すると、エア通路が一瞬負圧化され、外気をズボン３内に導くことができ、ズボン３内のエアを出し入れすることができるようになっている。
【００２０】
次に、上記実施例に係る身体装着具２の作用について説明する。まず、使用者がズボン３をずり降ろして、腰部に身体装着具２のチューブ５側の面を身体側に向け、延長方向両端の面ファスナ１０を前側に向けて腰部に巻き付け、フック部１１とパイル部１２を接合させる。このとき、使用者の胴回り寸法に応じて、フック部１１とパイル部１２とを周方向に相対的に変位させて、ずり落ちない位置で接合する。こうして、身体装着具２は使用者の身体に確実に巻き付けられる。次に、使用者は、ズボン３を引き上げ、この身体装着具２の上からズボン３を穿き、ズボン３のベルトを締めて身体への装着が完了する（図３の（Ａ）参照）。この身体装着具２には、複数のチューブ５が、巻き付け材４の周方向に沿って上下方向に配置され、チューブ５の下端開口部５Ｂがズボン３の内部に、チューブ５の上端開口部５Ａが外気にそれぞれ連通されているので、ズボン３内に熱気や蒸れが生じると、これら熱気や蒸れはチューブ５を介してズボン３の内部から外部へ排出される。また、使用者の身体の動きによりチューブ５が身体とズボン３との間で押しつぶされたり、押圧力が失われ弾性復帰したりすることがあると、チューブ５の上下開口部５Ａ、５Ｂ間でエアが出し入れされる。このため、ズボン内の熱気が外部に排出されたり、外部のエアがズボン内に引き込まれる。身体装着具２のチューブ５は柔軟性を有し、巻き付け材４にはメッシュ材４と布片８、９が用いられるので、使用者の動作を妨げることがない。また、チューブ５は巻き付け材４に着脱自在に容易に装着することができ、しかも、作業に応じて、大径または小径のエア通路を有するチューブを適宜選択して使用することができるので、作業の激しさに応じてエア通路の面積を変えることができ、どのような作業であっても快適な作業環境を確保することができる。さらに、面ファスナ１０をフック部１１とパイル部１２とにより面ファスナとしているので、脱落しにくくなり、作業性が向上するとともに、巻き付け材４が身体に巻き付く長さを調整することができ、使用者の胴回りに応じて確実に脱落防止を図ることができる。
【実施例２】
【００２１】
図４の（Ａ）、（Ｂ）はそれぞれ、上記第１の実施例に係る身体装着具２の第１の変形例に係る身体装着具２２の要部を示す上面図および斜視図である。この第１の変形例に係る身体装着具２２は、上記第１の実施例が巻き付け材４をメッシュ材から構成しているのに対し、図４の（Ａ）に示すように、巻き付け材２４を柔軟性のある革または合成樹脂から構成し、チューブ５を革の場合は接着剤で、合成樹脂の場合は熱溶着によりこの巻き付け材２４に固着した点が異なっている。係る構成とすることにより、チューブ５を巻き付け材２４に確実に固着することができるので、チューブ５を上下方向に確実に保持することができ、エアが排出されやすくなる。
【実施例３】
【００２２】
図５は、上記第１の実施例に係る身体装着具２の第２の変形例に係る身体装着具４２の要部を示す斜視図である。この第２の変形例に係る身体装着具４２は、上記第１の実施例が巻き付け材４をメッシュ材から構成し、エア排出部をチューブ５により構成しているのに対し、巻き付け材を、上下方向に貫通する角筒状貫通孔４３が多数並んで形成されたゴム材４４により構成した点が異なっている。係る構成とすることにより、エア排出部を別体とすることなく、一体に形成することができるので、コストダウンを図ることができる。
【実施例４】
【００２３】
次に、本発明の第２の実施例に係るズボン６０について、図６を参照して説明する。本発明の第２の実施例に係るズボン６０は、図６に示すように、腰帯部６１の内側にズボン６０内の熱気を外部へ排出するチューブ（エア排出部）６２を設けている。チューブ６２は、腰帯部６１内側の延長方向に対し上下方向に複数取り付けられる。すなわち、既成のズボン６０の腰帯部６１内側にチューブ６２を配置しその上に紐状の布材６３を載せ、チューブ６２間の布材６３を腰帯部６１に縫い付けるようにしている。チューブ６２は、上記実施例と同様に、内部が中空で、柔軟性を有し弾性復帰可能な合成樹脂（例えば、ビニールなど）により構成される。
【００２４】
第２の実施例に係るズボン６０は、上述のように構成されているので、ズボン６０内に熱気や蒸れが生じると、これら熱気や蒸れはチューブ６２を介してズボン６０の内部から外部へ排出される。また、使用者の身体の動きによりチューブ６２が身体とズボン６０との間で押しつぶされたり、押圧力が失われ弾性復帰したりすることがあると、チューブ６２の上下開口部間でエアが出し入れされる。このため、ズボン６０内の熱気が外部に排出されたり、外部のエアがズボン内に引き込まれる。
【００２５】
なお、上記第１の実施例では、巻き付け材４をメッシュ材で構成しているがこれに限られるものではなく、折り返す上下両端部をメッシュ材で構成し、身頃部に相当する部分を布材で構成するようにしてもよい。また、巻き付け材４を伸縮性を有する素材で構成してもよい。さらに、上記第１の実施例では、脱落阻止部１０をパイル部とフック部との面ファスナーで構成しているがこれに限られるものではなく、例えば、ボタン、スナップボタン、ホック、ファスナーなどを用いるようにしてもよい。また、上記第１の実施例では、身体装着具２の上端をズボン３から外部に露出させているが、これに限られるものではなく、図３の（Ｂ）に示すように、シャツの内部に収めるようにしてもよい。さらに、上記第１の実施例では、身体装着具２をズボン３の腰帯部３Ａ内側で身体に巻き付けるようにしているがこれに限られるものではなく、身体装着具２の下側を下着の中に入れるようにしてもよい。また、上記第１の実施例では、身体装着具を一枚布から構成しているがこれに限られるのではなく腹巻きのような伸縮する筒状布材からなる巻き付け材にチューブ（エア排出部）を設けるようにしてもよい。
【図面の簡単な説明】
【００２６】
【図１】本発明の第１の実施例に係る身体装着具を展開した状態を示す説明図である。（実施例１）
【図２】図１の身体装着具の巻き付け状態を示す斜視図である。
【図３】（Ａ）、（Ｂ）はそれぞれ、図１の身体装着具の装着状態の例を示す説明図である。
【図４】（Ａ）、（Ｂ）はそれぞれ、第１の変形例に係る身体装着具の要部を示す上面図および斜視図である。（実施例２）
【図５】第２の変形例に係る身体装着具の要部を示す斜視図である。（実施例３）
【図６】本発明の第２の実施例に係るズボンを示す斜視図である。（実施例４）
【符号の説明】
【００２７】
２  身体装着具
３  ズボン
３Ａ  腰帯部
４  巻き付け材
５  チューブ（エア排出部）
【図１】
2009228191.tif 000003
【図２】
2009228191.tif 000004
【図３】
2009228191.tif 000005
【図４】
2009228191.tif 000006
【図５】
2009228191.tif 000007
【図６】
2009228191.tif 000008